(57)【要約】      （修正有）【課題】アイテムを外に置いたままの盗難・紛失によるトラブルを防ぐことができる電子メールボックスを提供する。【解決手段】電子メールボックスは、前側に開口部が形成された筐体１１で構成され、開口部の縁に開閉可能に接続された可動扉を備えるメールボックス１０と、稼働扉と組み合わせされた電子錠２０と、配送者の携帯装置４０とを含み、配送者の携帯装置は、ワイヤレス通信よりメッセージを送信し、身分識別情報を提供する形でユーザーの携帯装置３０に要求を送信して、一回きり電子キーＢ１を獲得し、配送者の携帯装置は一回きり電子キーをもって電子錠を開錠し、アイテムをメールボックスに預け、携帯装置を持つユーザーが帰宅してメールボックスに近づく時に、電子錠の電子キーＢを持つデバイスをもって電子錠を開錠することで、ユーザーは配送のアイテムを安全に取り出すことができる。【選択図】図１
0003228299.tif 000002
【実用新案登録請求の範囲】
【請求項１】
前側に開口部が形成された筐体で構成され、前記開口部の縁に開閉可能に接続された可動扉を備えるメールボックスと、前記稼働扉と組み合わせされた電子錠と、配送者の携帯装置と、を含む電子メールボックスであって、
前記電子錠は、前記メールボックスに組み込まれて前記メールボックスを施錠し、前記電子錠は通信より電子キーを受信して開錠され、前記電子キーはユーザーの携帯装置内に保存され、
前記配送者の携帯装置は、ワイヤレス通信より身分識別情報を含む要求を前記ユーザーの携帯装置に送信して、前記ユーザーの携帯装置の応答から前記電子錠を一回開錠するための一回きり電子キーを獲得し、前記一回きり電子キーによって前記メールボックス上の前記電子錠を開錠することを特徴とする、電子メールボックス。
【請求項２】
前記メールボックス内に受領印鑑を収納することを特徴とする、請求項１に記載の電子メールボックス。
【請求項３】
前記メールボックスの内部に２Ｄバーコードが設けられ、前記配送者の携帯装置が前記一回きり電子キーによって前記メールボックスを開錠した後、前記メールボックス内部の前記２Ｄバーコードを撮影し、受領メッセージを遠距離の配送サーバーに提出することで、前記配送サーバーはリマインダーを前記ユーザーの携帯装置に送信することを特徴とする、請求項１に記載の電子メールボックス。
【請求項４】
前記配送者の携帯装置には配送アプリケーションがインストールされ、前記配送アプリケーションを執行することで、前記ユーザーの携帯装置と通信するとともに、前記２Ｄバーコードを撮影することを特徴とする、請求項３に記載の電子メールボックス。
【請求項５】
前記配送者の携帯装置は、テキストメッセージまたは電子メールによって前記ユーザーの携帯装置に要求すると共に、前記ユーザーの携帯装置からのテキストメッセージまたは電子メールの応答より前記一回きり電子キーを獲得し、前記配送サーバーが前記ユーザーの携帯装置に送信する前記リマインダーは、テキストメッセージまたは電子メールであることを特徴とする、請求項１〜４のいずれか一項に記載の電子メールボックス。
【請求項６】
前記ユーザーの携帯装置には前記配送アプリケーションがインストールされ、前記配送者の携帯装置は前記配送アプリケーションを執行することで、インターネットより前記ユーザーの携帯装置と通信し、前記配送サーバーが前記ユーザーの携帯装置に送信する前記リマインダーは、前記ユーザーの携帯装置の前記配送アプリケーションに表示されることを特徴とする、請求項４に記載の電子メールボックス。
【請求項７】
前記身分識別情報は映像、写真、または身分情報であることを特徴とする、請求項１〜４のいずれか一項に記載の電子メールボックス。
【考案の詳細な説明】
【技術分野】
【０００１】
本考案は、電子キーを受け渡す手段に係り、特に、電子キーを受け渡す手段を有する一種の電子メールボックスに関するものである。
【背景技術】
【０００２】
電子商取引の普及により、現代の人々は、オンラインショッピングで郵便物や小包を受け取る需要は多いが、郵便物や小包が届く時に受取者が必ず在宅するとは限らない。この場合、受取者の住宅に警備員があったら代わりに受け取ることもできますが、警備員がいなかったら配送業者に連絡して配送時間を変更するしか方法はありません。
【０００３】
したがって、上記の郵便物や小包をスムーズに配送できない問題を解決するために、一部の受取者は買い物の際にコンビニで着払いを選び、または支払いの後にコンビニで受け取る形で郵便物や小包を手に入れる。しかし、このような方法では受取者が家に帰ったすぐに郵便物や小包を受け取ることができず、郵便物や小包がコンビニに届くことを待つ以外、寄り道してコンビニで受け取る必要もあるので、便利とは言えない。また、一般的に言えば、コンビニに届く物流速度は、配送業者による受取者の自宅への直接配送の速度よりも遅い。
【考案の概要】
【考案が解決しようとする課題】
【０００４】
従来のオンラインショッピング後、郵便物や小包を受け取るには、自宅で誰かが在宅する必要があるため、購入したアイテムを受け取るのに不便が生じる。そのため、本考案は電子キーを配送業者に受け渡してメールボックスを開錠するためのシステムを提供することで、ユーザーが不在の時も後で安全に郵便物や小包を受け取ることができる。
【課題を解決するための手段】
【０００５】
上記の目的により、本考案は一種の電子メールボックスのアイテム受け渡しシステムを提供し、そのシステムには：メールボックス；
電子錠：前記メールボックスに組み込まれて前記メールボックスを施錠し、前記電子錠は近距離無線通信より電子キーを受信して開錠することができる；及び
配送者の携帯装置：ワイヤレス通信より要求を前記ユーザーの携帯装置に送信して、前記ユーザーの携帯装置の応答から前記電子錠を一回開錠するための一回きり電子キーを獲得し、前記一回きり電子キーによって前記メールボックス上の前記電子錠を開錠する。
【０００６】
さらに、電子キーはユーザーの携帯装置内に保存される。
【０００７】
さらに、前記メールボックス内に受領印鑑を収納している。
【０００８】
さらに、前記メールボックスの内部に２Ｄバーコードが設けられ、前記配送者の携帯装置が前記一回きり電子キーによって前記メールボックスを開錠した後、前記メールボックス内部の前記２Ｄバーコードを撮影し、受領メッセージを遠距離の配送サーバーに提出することで、前記配送サーバーはリマインダーを前記ユーザーの携帯装置に送信する。
【０００９】
さらに、前記配送者の携帯装置には配送アプリケーションがインストールされ、前記配送アプリケーションを執行することで、前記ユーザーの携帯装置と通信するとともに、前記２Ｄバーコードを撮影する。
【００１０】
好ましくは、前記配送者の携帯装置は、テキストメッセージまたは電子メールによって前記ユーザーの携帯装置に要求すると共に、前記ユーザーの携帯装置からのテキストメッセージまたは電子メールの応答より前記一回きり電子キーを獲得し、前記配送サーバーが前記ユーザーの携帯装置に送信する前記リマインダーは、テキストメッセージまたは電子メールである。
【００１１】
好ましくは、前記ユーザーの携帯装置には前記配送アプリケーションがインストールされ、前記配送者の携帯装置は前記配送アプリケーションを執行することで、インターネットより前記ユーザーの携帯装置と通信し、前記配送サーバーが前記ユーザーの携帯装置に送信する前記リマインダーは、前記ユーザーの携帯装置の前記配送アプリケーションに表示される。
【００１２】
好ましくは、前記身分識別情報は映像、写真、または身分情報などであり、ユーザーより配送者の身分を確認するためのものである。
【００１３】
本考案を使用する時、郵便物や小包を配送する配送者は、先にワイヤレス通信より前記ユーザーの携帯装置に身分識別情報を含む要求を送信し、ユーザーより配送者の身分が確認した後、前記ユーザーの携帯装置の応答から前記電子錠を一回開錠するための一回きり電子キーを獲得し、そして配送者は前記一回きり電子キーによって前記メールボックス上の前記電子錠を開錠して、郵便物や小包を前記メールボックス内に預けてから前記メールボックスを再び施錠する。その後、その郵便物や小包の受取者であるユーザーが家に帰った時は、前記電子キーを保存したカードキー、キータグまたは他のデバイスで前記電子錠を開錠し、前記メールボックス内のアイテムを取り出すことができる。
【考案の効果】
【００１４】
本考案の効果としては、ユーザーが前記配送者の携帯装置による要求に応答することによって一回きり電子キーを渡す方法で、配送者は郵便物や小包などのアイテムをメールボックス内に預けて、前記メールボックスを再び施錠することでアイテムの安全を確保できると共に、ユーザーが帰宅した時にアイテムを便利に取り出せるため、配送時間を変更する必要はなく、コンビニに赴く必要もないので、ユーザーはオンラインショッピングで購入したアイテムや他人から郵送したアイテムを便利に受け取ることができる。
【００１５】
本考案は他人から郵送したアイテムを受け取ること以外、他人へのアイテムの郵送にも応用できる。この場合、ユーザーは先に郵送先が貼られたアイテムを前記メールボックス内に預けて、配送業者に通知し、配送者が要求を送信して一回きり電子キーを獲得した後、配送者はメールボックスを開錠して前記メールボックス内のアイテムを取り出して配送する。このように、ユーザーは郵便局や宅配便所に出向かなくても、安全かつ便利に配送者を頼んでアイテムを郵送することができる。
【図面の簡単な説明】
【００１６】
【図１】本考案の好適的な実施例によるシステム概略図である。
【図２】本考案の好適的な実施例による実行概略図である。
【図３】本考案の好適的な実施例による、印鑑を使用する受領の実行概略図である。
【考案を実施するための形態】
【００１７】
本考案の技術的特徴及び実際の効果を詳細に理解し、明細書の内容に従って実施することができるように、図面に示される好ましい実施例を以下で更に詳細に説明する。
【００１８】
図１から図２に示す本考案の好ましい実施例を参照して、電子メールボックスのアイテム受け渡しシステムを提供し、そのシステムは、メールボックス１０、電子錠２０、配送者の携帯装置３０、及び配送者の携帯装置４０を含み、本実施例における前記電子錠２０は配送会社Ａより提供され、前記ユーザーの携帯装置３０及び前記配送者の携帯装置４０には、それぞれ前記配送会社Ａの配送アプリケーションＡ１がインストールされ、前記配送会社Ａはインターネットに配送サーバーＡ２を構築し、且つ前記メールボックス１０の所有者、つまり前記電子錠２０のユーザーは、前記配送会社Ａのサービスを利用してオンラインショッピングの郵便物や小包を受け取る。前記配送会社Ａは前記配送サーバーＡ２内に、ユーザーの個人情報を保存し、その個人情報は携帯番号、電子メールアドレスを含むが、それに限定されない。そのうち：
【００１９】
前記メールボックス１０には筐体１１が設けられ、前記筐体１１の前面に開口部１１１を形成し、前記開口部１１１の縁に可動ドア１２が設置される。前記可動ドア１２の開閉は、前記開口部１１１を閉鎖または開放することができると共に、２ＤバーコードＡ３をステッカーまたは印刷によって前記可動ドア１２の内側に設置される。前記２ＤバーコードＡ３は前記配送サーバーＡ２によって生成され、且つ前記２ＤバーコードＡ３には前記配送サーバーＡ２と繋がるための情報が含まれる。
【００２０】
前記電子錠２０は前記メールボックス１０に組み込まれて前記メールボックス１０の前記可動ドア１２を施錠し、前記電子錠２０は近距離無線通信またはブルートゥース（登録商標）通信で電子キーＢを受信して開錠され、前記電子キーＢのデバイスは、前記ユーザーが持つ前記ユーザーの携帯装置３０、或いは前記ユーザーが持つ他の形式のカードキーやキータグであることができる。
【００２１】
前記ユーザーの携帯装置３０としては、例えば本実施例でのスマートフォンであり、前記ユーザーの携帯装置３０内に前記電子キーＢが保存され、且つ前記配送アプリケーションＡ１を執行することで前記電子錠２０を一回開錠するための一回きり電子キーＢ１を生成することができる。前記ユーザーの携帯装置３０の前記配送アプリケーションＡ１は、遠距離の前記配送者の携帯装置４０が送信した要求によって、前記一回きり電子キーＢ１を同様の配送アプリケーションＡ１の繋がりによって前記配送者の携帯装置４０に提供することができる。
【００２２】
前記配送者の携帯装置４０としては、例えば本実施例でのスマートフォンであり、そこにインストールされた前記配送アプリケーションＡ１は、ユーザーより配送者の身分が確認するようにワイヤレス通信より前記ユーザーの携帯装置３０に身分識別情報を含む要求を送信し、前記身分識別情報は映像、写真、身分情報などを含むが、それに限定されない。そして、前記配送者の携帯装置４０は前記ユーザーの携帯装置３０の応答から前記一回きり電子キーＢ１を獲得する。前記配送会社Ａの配送者が前記メールボックス１０に郵便物や小包を配送する時、上述の方法でユーザーに要求を送信して遠距離で前記一回きり電子キーＢ１を獲得し、前記一回きり電子キーＢ１によって前記電子錠２０を開錠し、前記可動ドア１２を開けて、その後再び施錠する。
【００２３】
前記可動ドア１２が開けた時、前記配送者は郵便物や小包を前記メールボックス１０内に入れて、前記配送者の携帯装置４０より前記アプリケーションＡ１を執行して前記メールボックス１０内の前記２ＤバーコードＡ３を撮影し、前記配送サーバーＡ２と繋がるための情報を得て受領メッセージＡ４を遠距離の配送サーバーＡ２に提出する。配送サーバーＡ２が前記受領メッセージＡ４を受信した時、対応する遠距離の前記ユーザーの携帯装置３０にリマインダーＡ５を送信する。前記リマインダーＡ５は前記ユーザーの携帯装置３０の前記配送アプリケーションＡ１に表示され、或いは前記リマインダーＡ５がテキストメッセージまたは電子メールの形式で前記ユーザーの携帯装置３０に送信し、ユーザーに配送する郵便物や小包がすでに前記メールボックス１０内に預けてあることを通知し、前記配送アプリケーションＡ１が前記リマインダーＡ５を受信することが、ユーザーの受領確認として機能する。
【００２４】
本考案は上述の好適的な実施例のように、前記電子錠２０が前記配送会社Ａより提供したもの、且つ前記ユーザーの携帯装置３０及び前記配送者の携帯装置４０の両方とも前記配送アプリケーションＡ１をインストールしているという状況以外、例えば前記電子錠２０が前記配送会社Ａより提供したものではなく、且つ前記ユーザーの携帯装置３０及び前記配送者の携帯装置４０の両方とも前記配送アプリケーションＡ１をインストールしていない状況であっても実施可能である。この場合、配送者が郵便物や小包を前記メールボックス１０に入れる時、前記配送者の携帯装置４０より電子メールやテキストメッセージによって前記ユーザーの携帯装置３０に上述の身分識別情報を含む要求を送信し、ユーザーが確認して前記要求に応答し、同じく電子メールやテキストメッセージの形式で、前記電子錠２０の専用アプリケーションより生成した一回きり電子キーＢ１を遠距離の前記配送者の携帯装置４０に送信する。この時、前記配送者は前記一回きり電子キーＢ１によって前記メールボックス１０を開錠し、郵便物や小包を前記メールボックス１０に入れることができる。
【００２５】
本考案において、配送者が郵便物や小包を前記メールボックス１０に入れる時の受領確認としては、前記２ＤバーコードＡ３を撮影して受領メッセージＡ４を配送サーバーＡ２に提出し、配送サーバーＡ２が前記受領メッセージＡ４を受信した時、対応する前記ユーザーの携帯装置３０にリマインダーＡ５を提出するという形式以外、図３に示すように、前記メールボックス１０内に受領印鑑Ｃ（例えば、ユーザーの個人印鑑）を置いて、配送者が前記配送者の携帯装置４０内の一回きり電子キーＢ１で前記電子錠２０を誘導開錠して前記メールボックス１０を開ける時、郵便物や小包を前記メールボックス１０に入れた後、前記受領印鑑Ｃを持って領収書に捺印する形式で、ユーザーの受領確認とすることもできる。
【００２６】
以上の説明は、本考案の好ましい実施例にすぎず、本考案が請求する範囲を限定することを意図したものではなく、本考案の範囲および趣旨から逸脱することなく行われた同等の変更または修正は、本考案の特許請求範囲に含まれるべきである。
【符号の説明】
【００２７】
１０  メールボックス
１１  筐体
１１１開口部
１２  可動ドア
２０  電子錠
３０  ユーザーの携帯装置
４０  配送者の携帯装置
Ａ    配送会社
Ａ１  配送アプリケーション
Ａ２  配送サーバー
Ａ３  ２Ｄバーコード
Ａ４  受領メッセージ
Ａ５  リマインダー
Ｂ    電子キー
Ｂ１  一回きり電子キー
Ｃ    受領印鑑
【図１】
0003228299.tif 000003
【図２】
0003228299.tif 000004
【図３】
0003228299.tif 000005
【手続補正書】
【提出日】令和2年7月15日(2020.7.15)
【手続補正１】
【補正対象書類名】実用新案登録請求の範囲
【補正対象項目名】全文
【補正方法】変更
【補正の内容】
【実用新案登録請求の範囲】
【請求項１】
前側に開口部が形成された筐体で構成され、前記開口部の縁に開閉可能に接続された可動扉を備えるメールボックスと、前記可動扉と組み合わせされた電子錠と、配送者の携帯装置と、を含む電子メールボックスであって、
前記電子錠は、前記メールボックスに組み込まれて前記メールボックスを施錠し、前記電子錠は通信より電子キーを受信して開錠され、前記電子キーはユーザーの携帯装置内に保存され、
前記配送者の携帯装置は、ワイヤレス通信より身分識別情報を含む要求を前記ユーザーの携帯装置に送信して、前記ユーザーの携帯装置の応答から前記電子錠を一回開錠するための一回きり電子キーを獲得し、前記一回きり電子キーによって前記メールボックス上の前記電子錠を開錠することを特徴とする、電子メールボックス。
【請求項２】
前記メールボックス内に受領印鑑を収納することを特徴とする、請求項１に記載の電子メールボックス。
【請求項３】
前記メールボックスの内部に２Ｄバーコードが設けられ、前記配送者の携帯装置が前記一回きり電子キーによって前記メールボックスを開錠した後、前記メールボックス内部の前記２Ｄバーコードを撮影し、受領メッセージを遠距離の配送サーバーに提出することで、前記配送サーバーはリマインダーを前記ユーザーの携帯装置に送信することを特徴とする、請求項１に記載の電子メールボックス。
【請求項４】
前記配送者の携帯装置には配送アプリケーションがインストールされ、前記配送アプリケーションを執行することで、前記ユーザーの携帯装置と通信するとともに、前記２Ｄバーコードを撮影することを特徴とする、請求項３に記載の電子メールボックス。
【請求項５】
前記配送者の携帯装置は、テキストメッセージまたは電子メールによって前記ユーザーの携帯装置に要求すると共に、前記ユーザーの携帯装置からのテキストメッセージまたは電子メールの応答より前記一回きり電子キーを獲得し、前記配送サーバーが前記ユーザーの携帯装置に送信する前記リマインダーは、テキストメッセージまたは電子メールであることを特徴とする、請求項３又は４に記載の電子メールボックス。
【請求項６】
前記ユーザーの携帯装置には前記配送アプリケーションがインストールされ、前記配送者の携帯装置は前記配送アプリケーションを執行することで、インターネットより前記ユーザーの携帯装置と通信し、前記配送サーバーが前記ユーザーの携帯装置に送信する前記リマインダーは、前記ユーザーの携帯装置の前記配送アプリケーションに表示されることを特徴とする、請求項４に記載の電子メールボックス。
【請求項７】
前記身分識別情報は映像、写真、または身分情報であることを特徴とする、請求項１〜４のいずれか一項に記載の電子メールボックス。